(57)【特許請求の範囲】
【請求項１】
斜面に沿って設けられる山側多孔面状部材と、
基端側が前記山側多孔面状部材の下端に回動可能に連結される一方、先端側には、前記斜面の傾斜方向に沿って所定間隔を空けて設けられた複数の被掛止部を有する谷側多孔面状部材と、
基端側が前記山側多孔面状部材の上端部に回動可能に連結される一方、前記山側多孔面状部材の上端と前記谷側多孔面状部材の先端とが水平に近づくように、先端側が前記谷側多孔面状部材の複数の被掛止部のうち一の被掛止部に引っ掛けられ、前記山側多孔面状部材の下端を中心に前記谷側多孔面状部材を任意の起立角度に調整し支持する角度調整支持部材と、を有し、
前記角度調整支持部材によって前記起立角度に設定された前記山側多孔面状部材と前記谷側多孔面状部材との間に、斜面緑化用客土を保持させる、
ことを特徴とする斜面緑化用客土保持具。
【請求項２】
斜面に沿って設けられ、上端側には、前記斜面の傾斜方向に所定間隔を空けて設けられた複数の被掛止部を有する山側多孔面状部材と、
基端側が前記山側多孔面状部材の下端部に回動可能に連結された谷側多孔面状部材と、
基端側が前記谷側多孔面状部材の下端部に回動可能に連結される一方、前記山側多孔面状部材の上端と前記谷側多孔面状部材の先端とが水平に近づくように、先端側が前記山側多孔面状部材の複数の被掛止部のうち一の被掛止部に引っ掛けられ、前記山側多孔面状部材の下端を中心に前記谷側多孔面状部材を任意の起立角度に調整し支持する角度調整支持部材と、を有し、
前記角度調整支持部材によって前記起立角度に設定された前記山側多孔面状部材と前記谷側多孔面状部材との間に、斜面緑化用客土を保持させる、
ことを特徴とする斜面緑化用客土保持具。
【請求項３】
請求項１または請求項２記載の斜面緑化用客土保持具において、
前記山側多孔面状部材および前記谷側多孔面状部材は、
前記斜面の傾斜方向に沿って設けられる複数の縦枠間に設けられ、
前記斜面の傾斜方向とは垂直方向となる前記山側多孔面状部材の長手方向の長さを、前記谷側多孔面状部材の長手方向の長さより長く形成して、前記山側多孔面状部材の長手方向の両端が、前記谷側多孔面状部材の長手方向の両端より突出する両端突出部を形成する、
ことを特徴とする斜面緑化用客土保持具。
【請求項４】
請求項１〜請求項３のいずれか一の請求項に記載の斜面緑化用客土保持具において、
前記山側多孔面状部材および前記谷側多孔面状部材は、
前記斜面の傾斜方向に延びる複数本の縦線と、前記斜面の傾斜方向とは垂直方向に延びる複数本の横線とを交差させた金網から構成し、
前記複数の被掛止部は、
前記複数本の横線を、前記斜面の傾斜方向に沿って所定間隔を空けて設けることにより構成し、前記複数の被掛止部を構成する前記複数本の横線間の間隔は、前記複数の被掛止部以外における前記横線間の間隔より大きくする、
ことを特徴とする斜面緑化用客土保持具。
【発明の詳細な説明】
【技術分野】
【０００１】
本発明は、斜面に緑化用客土を保持させる斜面緑化用客土保持具に関する。
【背景技術】
【０００２】
斜面に緑化用客土を保持させる斜面緑化用客土保持具として、例えば、金網を短手方向に折り曲げてＬ字状にしたものが提案されている（例えば、特許文献１，２参照。）。
【先行技術文献】
【特許文献】
【０００３】
【特許文献１】特開２０１０−１３８６２９号公報
【特許文献２】特開２００４−１９０４３２号公報
【発明の概要】
【発明が解決しようとする課題】
【０００４】
しかし、前述の背景技術のものは、いずれも金網を短手方向に折り曲げたＬ字形状のまま保管し運搬して斜面に設置するため、保管や運搬の面で効率が悪い、等の課題があった。
【０００５】
そこで、本発明は、保管や運搬の際に効率が良い、斜面緑化用客土保持具を提供することを目的とする。
【課題を解決するための手段】
【０００６】
前記課題を解決するため、本発明の斜面緑化用客土保持具は、斜面に沿って設けられる山側多孔面状部材と、基端側が前記山側多孔面状部材の下端に回動可能に連結される一方、先端側には、前記斜面の傾斜方向に沿って所定間隔を空けて設けられた複数の被掛止部を有する谷側多孔面状部材と、基端側が前記山側多孔面状部材の上端部に回動可能に連結される一方、前記山側多孔面状部材の上端と前記谷側多孔面状部材の先端とが水平に近づくように、先端側が前記谷側多孔面状部材の複数の被掛止部のうち一の被掛止部に引っ掛けられ、前記山側多孔面状部材の下端を中心に前記谷側多孔面状部材を任意の起立角度に調整し支持する角度調整支持部材と、を有し、前記角度調整支持部材によって前記起立角度に設定された前記山側多孔面状部材と前記谷側多孔面状部材との間に、斜面緑化用客土を保持させる、ことを特徴とする斜面緑化用客土保持具である。なお、斜面緑化用客土は、草木の種や肥料、客土等が混在しているものである。
前記課題を解決するため、本発明の別の斜面緑化用客土保持具は、斜面に沿って設けられ、上端側には、前記斜面の傾斜方向に所定間隔を空けて設けられた複数の被掛止部を有する山側多孔面状部材と、基端側が前記山側多孔面状部材の下端部に回動可能に連結された谷側多孔面状部材と、基端側が前記谷側多孔面状部材の下端部に回動可能に連結される一方、前記山側多孔面状部材の上端と前記谷側多孔面状部材の先端とが水平に近づくように、先端側が前記山側多孔面状部材の複数の被掛止部のうち一の被掛止部に引っ掛けられ、前記山側多孔面状部材の下端を中心に前記谷側多孔面状部材を任意の起立角度に調整し支持する角度調整支持部材と、を有し、前記角度調整支持部材によって前記起立角度に設定された前記山側多孔面状部材と前記谷側多孔面状部材との間に、斜面緑化用客土を保持させる、ことを特徴とする斜面緑化用客土保持具である。
ここで、前記山側多孔面状部材および前記谷側多孔面状部材は、前記斜面の傾斜方向に沿って設けられる複数の縦枠間に設けられ、前記斜面の傾斜方向とは垂直方向となる前記山側多孔面状部材の長手方向の長さを、前記谷側多孔面状部材の長手方向の長さより長く形成して、前記山側多孔面状部材の長手方向の両端が、前記谷側多孔面状部材の長手方向の両端より突出する両端突出部を形成する、ようにしても良いし、しなくても良い。
また、前記山側多孔面状部材および前記谷側多孔面状部材は、前記斜面の傾斜方向に延びる複数本の縦線と、前記斜面の傾斜方向とは垂直方向に延びる複数本の横線とを交差させた金網から構成し、前記複数の被掛止部は、前記複数本の横線を、前記斜面の傾斜方向に沿って所定間隔を空けて設けることにより構成し、前記複数の被掛止部を構成する前記複数本の横線間の間隔は、前記複数の被掛止部以外における前記横線間の間隔より大きくする、ようにしても良いし、しなくても良い。
【発明の効果】
【０００７】
本発明の斜面緑化用客土保持具によれば、保管時や運搬時には山側多孔面状部材と谷側多孔面状部材とを折り畳んでおく一方、施工時には山側多孔面状部材を斜面に沿って設ける一方、山側多孔面状部材の上端と谷側多孔面状部材の先端とが水平に近づくように、角度調整支持部材によって山側多孔面状部材に対し谷側多孔面状部材を任意の起立角度に設定し起こして支持し、その起立角度に設定された山側多孔面状部材と谷側多孔面状部材との間に斜面緑化用客土を保持させるようにしたため、例えば、次のような効果が得られる。
（１）山側多孔面状部材と谷側多孔面状部材とを折り畳んで保管や運搬することが可能となるので、保管の際のスペース効率や、運搬の際の作業効率等を向上させることができる。
（２）山側多孔面状部材の上端と谷側多孔面状部材の先端とが水平に近づくように起立角度を設定可能なので、斜面緑化用客土保持具に盛った斜面緑化用客土や、斜面緑化用客土から生えた草木類の流出を防止することができ、植栽を損失少なく生育することができる。
（３）また、斜面全体に設置される山側多孔面状部材の上端と谷側多孔面状部材の先端とがほぼ水平に統一されるので、全体に均整がとれ、景観上も良好となる。
【図面の簡単な説明】
【０００８】
【図１】実施形態１の斜面緑化用客土保持具を斜面に設置し一定期間経過後の斜面における緑化状態の一例を示す斜視図である。
【図２】実施形態１の斜面緑化用客土保持具の設置状態を拡大して示す拡大斜視図である。
【図３】実施形態１の斜面緑化用客土保持具を断面矩形縦枠タイプの緑化用法枠構造物に適用した状態を示す正面図である。
【図４】（ａ），（ｂ）は、それぞれ、図３に示す実施の形態１の斜面緑化用客土保持具を使用して構成した緑化用法枠構造物のＡ−Ａ線断面図、Ｂ−Ｂ線断面図である。
【図５】（ａ），（ｂ）は、それぞれ、図３に示す実施の形態１の斜面緑化用客土保持具を使用して構成した緑化用法枠構造物のＣ−Ｃ線断面図、Ｄ−Ｄ線断面図である。
【図６】実施の形態１の斜面緑化用客土保持具を構成する山側金網と谷側金網とを連結して広げた状態を示す全体図である。
【図７】図６に示す斜面緑化用客土保持具を構成する山側金網の平面図である。
【図８】図６に示す斜面緑化用客土保持具を構成する谷側金網の平面図である。
【図９】図６に示す斜面緑化用客土保持具を構成する山側金網と谷側金網とを閉じた状態を示す全体図である。
【図１０】実施の形態１の斜面緑化用客土保持具を構成する角度調整支持金具の側面を示す側面図である。
【図１１】実施の形態１の斜面緑化用客土保持具を構成する角度調整支持金具を用いて山側金網と谷側金網とを連結した状態を示す断面図である。
【図１２】斜面に実施の形態１の斜面緑化用客土保持具を設置した後、緑化用客土（植生基材）を吹き付ける状態を示す図である。
【図１３】斜面緑化用客土保持具等を使用して施工現場の斜面に設置した実施形態２の緑化用法枠構造物の状態を示す正面図である。
【図１４】（ａ），（ｂ）は、それぞれ、断面矩形縦枠タイプの緑化用法枠構造物のＥ−Ｅ線断面図、Ｆ−Ｆ線断面図である。
【図１５】実施の形態２の斜面緑化用客土保持具を構成する山側金網と谷側金網とを連結して広げた状態を示す全体図である。
【発明を実施するための形態】
【０００９】
以下、本発明に係る斜面緑化用客土保持具の実施の形態１，２について説明する。なお、本発明における斜面とは、自然に形成された自然斜面や、人工的に形成された切土斜面すなわち法面等を対象とする。また、緑化用法枠構造物には、後述する縦枠が断面欠円形縦枠タイプと、断面矩形縦枠タイプとがあるので、まずは、前者の断面欠円形縦枠タイプについて実施の形態１の斜面緑化用客土保持具を適用した場合について説明し、後者の断面矩形縦枠タイプについては前者の断面欠円形縦枠タイプとの違いのみ説明する。
【００１０】
実施の形態１．
≪断面欠円形縦枠タイプの緑化用法枠構造物≫
まずは、実施形態１の斜面緑化用客土保持具１を、断面欠円形縦枠タイプの緑化用法枠構造物について適用した場合について説明する。
【００１１】
図１は、実施形態１の斜面緑化用客土保持具を斜面Ｓに設置し一定期間経過後の斜面における緑化状態の一例を示す斜視図、図２は、縦枠２間に設けた一列分の実施形態１の斜面緑化用客土保持具１を拡大して示す斜視図、図３は、実施形態１の斜面緑化用客土保持具１を、断面欠円形縦枠タイプの緑化用法枠構造物に適用した状態を示す正面図である。
【００１２】
図１〜図３に示すように、実施形態１の斜面緑化用客土保持具１は、自然に形成された自然斜面や、人工的に形成された切土斜面すなわち法面等の斜面Ｓに設けられるもので、斜面Ｓの傾斜方向に沿って設けられた縦枠２間に、しかもその傾斜方向に所定間隔を空けて設けられる。なお、図１に示す例では、横枠が設けられていないが、図３に示す例では、各縦枠２の上下の端部を連結するように横枠３を設けた例を示しており、横枠３を縦枠２の上下の位置あるいは中間の所々などに設置するか否かは任意である。
【００１３】
図２に示すように、実施形態１の斜面緑化用客土保持具１は、斜面Ｓに沿って設けられる山側多孔面状部材である山側金網１１と、基端側が山側多孔面状部材１１の下端に回動可能に連結される一方、先端側には後述する図６や図８等に示すように斜面Ｓの傾斜方向に沿って所定間隔を空けて設けられた複数（本実施の形態１では、便宜上、３つとする。）の被掛止部１２１ａ〜１２１ｃを有する谷側多孔面状部材である谷側金網１２と、山側金網１１の上端と谷側金網１２の先端とがなるべく水平に近づくように連結する角度調整支持金具１３と、を有する。
【００１４】
そして、後述するように山側金網１１上端に回動可能に連結された角度調整支持金具１３先端のフック部１３２を、谷側金網１２先端側の被掛止部１２１ａ〜１２１ｃのうちの一の被掛止部に連結することにより、植栽棚１０を構築する。
【００１５】
なお、図１〜図３において、５１は、実施形態１の斜面緑化用客土保持具１により形成された植栽棚１０内の斜面緑化用客土、５２は、植栽棚１０外の斜面Ｓ上に盛られた斜面緑化用客土である。また、図３において、２１は、縦枠２の中を通る縦枠鉄筋、３１は、横枠３の中を通る横枠鉄筋である。
【００１６】
図４（ａ），（ｂ）、図５（ａ），（ｂ）は、それぞれ、図３に示す実施の形態１の斜面緑化用客土保持具１を使用して構成した緑化用法枠構造物のＡ−Ａ線断面図、Ｂ−Ｂ線断面図、Ｃ−Ｃ線断面図、Ｄ−Ｄ線断面図である。
【００１７】
つまり、図４（ａ），（ｂ）に示すように、緑化用法枠構造物は、斜面Ｓ上に菱形金網（ラス金網）４を敷設した後、吹き付け枠である縦枠２を形成し、実施の形態１の斜面緑化用客土保持具１を使用して植栽棚１０を複数構成している。
【００１８】
ここで、縦枠２は、菱形金網（ラス金網）４を介し主アンカー３２を斜面Ｓに打ち込むことにより、斜面Ｓに固定される。一方、実施の形態１の斜面緑化用客土保持具１を使用して構成した緑化用法枠構造物は、山側金網１１の上端等を、菱形金網（ラス金網）４を介し頭部がＬ字状の植栽棚止めアンカー１４を斜面Ｓに打ち込むことにより、斜面Ｓに固定される。なお、山側金網１１を斜面Ｓに固定できるものであれば、植栽棚止めアンカー１４は、頭部がＬ字状でなくても勿論かまわない。
【００１９】
そして、図５（ａ）に示すように、後述するように山側金網１１の上端に回動可能に連結された角度調整支持金具１３先端のフック部１３２を、谷側金網１２の複数の被掛止部１２１ａ〜１２１ｃのうち一つに引っ掛けて植栽棚１０を構成する。
【００２０】
なお、図５（ｂ）に示すように、断面欠円形縦枠タイプの緑化用法枠構造物は、縦枠２の形成に型枠を使用しないタイプで、モルタル等のセメント系固化材を吹き付けて形成した縦枠２が断面半円状となる。
【００２１】
つまり、この縦枠２は、斜面の傾斜方向である長手方向に２本の縦枠鉄筋２１を配し、その縦枠鉄筋２１の長手方向に所定間隔毎に、複数の金網（格子）状の縦枠形成用補助部材であるスペーサー２２を立設させて、骨組みを形成している。ここで、スペーサー２２のみでは、斜面Ｓに対し自立しない場合には、スペーサー２２の下側に、アンカーピンを打ち込むなどして斜面Ｓに固定する。そして、この断面欠円形縦枠タイプの縦枠２の場合、型枠を使用しないため、スペーサー２２を目印としてモルタル等のセメント系固化材を半円形状に吹き付けることにより、縦枠２を形成する。
【００２２】
図６は、実施の形態１の斜面緑化用客土保持具１を構成する山側金網１１と谷側金網１２とを連結して広げた状態を示す全体図、図７は、図６に示す斜面緑化用客土保持具１を構成する山側金網１１の平面図、図８は、図６に示す斜面緑化用客土保持具１を構成する谷側金網１２の平面図、図９は、図６に示す斜面緑化用客土保持具１を構成する山側金網１１と谷側金網１２とを閉じた状態を示す全体図である。
【００２３】
また、図１０は、実施の形態１の斜面緑化用客土保持具１を構成する角度調整支持金具１３の側面を示す側面図、図１１は、実施の形態１の斜面緑化用客土保持具１を構成する支持金具１３を用いて山側金網１１と谷側金網１２とを連結した状態を示す断面図である。
【００２４】
図６〜図９に示すように、実施の形態１の斜面緑化用客土保持具１を構成する山側金網１１および谷側金網１２は、それぞれ、直径２．６ｍｍ程の細めの亜鉛めっき鉄線からなる複数の縦線１１２，１２２および横線１１１，１２１を、縦・横に編みこんだクリンプ金網等から構成されている。なお、山側金網１１および谷側金網１２は、クリンプ金網に限定されるものでなく、溶接金網や、エキスパンドメタル、ラス金網等の網状部材や、パンチングメタルなどの多数の開口部を有する多孔状の面状部材から構成されていれば良い。
【００２５】
また、図１０に示すように、角度調整支持金具１３は、基端側に山側金網１１の上端に回動可能に連結されるリング部１３１が設けられている一方、先端側に谷側金網１２先端側の３つの被掛止部１２１ａ〜１２１ｃのうち一の被掛止部に掛止めされるフック部１３２が設けられている。なお、図１０に示すリング部１３１は、山側金網１１上端部に回動可能に連結される前の状態を示しており、まだＵ字状であり、山側金網１１上端部に回動可能に連結された後は、山側金網１１から抜けないように、リング状に潰される。また、フック部１３２は、施工現場の状況に応じて、谷側金網１２の被掛止部１２１ａ〜１２１ｃのうち一の被掛止部に選択的に引っ掛けることが可能となるように、着脱自在ながらも抜けにくい、いわゆるひょうたん形状に形成されている。なお、これらの形状は、任意であり、要は、設置状態において山側金網１１上端と谷側金網１２先端とがなるべく水平に近づくような角度で連結できるものであれば特にこだわらない。
【００２６】
そして、山側金網１１と谷側金網１２とは、図６等に示すように、山側金網１１の下端と、谷側金網１２の基端である上端とが、複数箇所（図６では、便宜上、７箇所としている。）において、それぞれ連結リング１５等により、回動可能に連結されている。なお、図６に示す状態は、山側金網１１と谷側金網１２とが、連結リング１５を介し広げた状態を示しており、山側金網１１と谷側金網１２とを連結リング１５を介し閉じると、図９に示すような連結リング１５を介し折り重なる状態になり、保管や運搬の際にスペース効率が向上する。なお、本実施の形態では、山側金網１１と谷側金網１２とを連結リング１５を介し回動可能に連結しているが、本発明では、これに限らず、連結リング１５を使用せずに、山側金網１１と谷側金網１２とを直接回動可能に連結するようにしても勿論よい。
【００２７】
また、図６において、１１３は、角度調整支持金具１３のリング部１３１が回動可能に連結される位置を示しており、ここでは、４箇所としている。
【００２８】
ここで、図６および図９に示すように、山側金網１１の長手方向、すなわち斜面Ｓに設置した際、斜面Ｓの傾斜方向とは垂直方向となる横方向の長さを、谷側金網１２の長手方向の長さより長く形成し、山側金網１１の長手方向の両端が、谷側金網１２の長手方向の両端より突出する両端突出部１１ａ，１１ｂを形成している。これは山側金網１１の両端突出部１１ａ，１１ｂを、両側の縦枠２の縦枠鉄筋２１やスペーサー２２等に交差ないしは連結させて位置決めや固定等するすると共に、谷側金網１２が両側の縦枠２に干渉せずに起立できるようにするためである。なお、ここでは、山側金網１１の長手方向の長さは約１７００ｍｍでほぼ縦枠鉄筋２１間の距離、谷側金網１２の長手方向の長さは約１４００ｍｍでほぼ成型後の縦枠２内側間の距離としている。
【００２９】
その一方、図６〜図９に示すように、山側金網１１の短手方向、すなわち斜面Ｓに設置した際、斜面Ｓの傾斜方向となる縦方向の長さを、谷側金網１２の短手方向の長さと同じにしている。ここでは、両者の長さを、共通の約２５０ｍｍとしている。
【００３０】
また、図６や図７等に示すように、山側金網１１の長手方向である横線１１１の本数を、谷側金網１２の長手方向の横線１２１の本数より少なくしている。これは、山側金網１１は、斜面Ｓ上に直接またはラス金網（菱形金網）を介して設置されるため、隙間が大きくても、緑化用客土５１の落下や脱落を防止できると共に、凸凹した斜面Ｓに沿って設けるため、なるべく山側金網１１が凸凹した斜面Ｓに沿って設置されるように曲がり易くする必要等があるからである。
【００３１】
その一方、谷側金網１２は、図６や図８等に示すように、長手方向の横線１２１の本数を多くしないと、緑化用客土５１が落下や脱落等するからである。なお、山側金網１１および谷側金網１２の縦線１１２，１２２および横線１１１，１２１の本数や太さ等、さらには、長さなどは、任意である。
【００３２】
また、本実施の形態１の斜面緑化用客土保持具１では、図６や図８等に示すように、谷側金網１２の先端側には、その長手方向に伸びる横線１２１を利用して、角度調整支持金具１３先端のフック部１３２が挿入できるように、フック部１３２の高さより大きい、斜面Ｓの傾斜方向に沿って所定間隔（ここでは、例えば、２１０ｍｍ程度としている。）を空け、斜面Ｓの勾配αが変化しても、谷側金網１２の先端と山側金網１１の上端とがなるべく水平に近づくように、長手方向に伸びる横線１２１を利用して、複数（ここでは、便宜上、３つとする。）の被掛止部１２１ａ〜１２１ｃを設けている。その結果、複数の被掛止部１２１ａ〜１２１ｃの間隔を、その被掛止部１２１ａ〜１２１ｃ以外の横線１２１間の間隔より大きくしている。なお、被掛止部１２１ａ〜１２１ｃは、３つでなくても勿論よく、２つでも、４つ以上でも良いし、さらには、横線１２１を利用せずに独立して設けるようにしても勿論良い。
【００３３】
ここで、角度調整支持金具１３先端のフック部１３２を、谷側金網１２先端側の３つの被掛止部１２１ａ〜１２１ｃのうち基端側の被掛止部１２１ａに掛け止めると、斜面Ｓの勾配αが約５１度の８分勾配、中央の被掛止部１２１ｂに掛け止めると、斜面Ｓの勾配αが約６３度の５分勾配、先端側の被掛止部１２１ｃに掛け止めると、斜面Ｓの勾配αが約７３度の３分勾配に対応することになる。
【００３４】
なお、図１１では、斜面Ｓの勾配αが約６３度の５分勾配近くあるため、角度調整支持金具１３先端のフック部１３２を谷側金網１２の中央の被掛止部１２１ｂに掛け止めることにより、山側金網１１の上端と谷側金網１２の先端とがほぼ水平になるように連結している。
【００３５】
これにより、斜面Ｓの勾配αが変化しても、角度調整支持金具１３先端のフック部１３２を、谷側金網１２の複数の被掛止部１２１ａ〜１２１ｃのうち一の被掛止部に引っ掛けることにより、山側金網１１の下端を中心に谷側金網１２を、約５１度や、約６３度、約７３度の任意の起立角度に起こして、とができるので、施工性および作業効率を向上させることができる。
【００３６】
その結果、斜面Ｓの勾配にかかわらず、簡便に山側金網１１の上端と谷側金網１２の先端とがほぼ水平に設定することができるので、斜面緑化用客土保持具１により形成した植栽棚１０に盛った斜面緑化用客土５１や、斜面緑化用客土５１から生えた草木類の流出を防止することができ、植栽を損失少なく生育することができると共に、斜面Ｓ全体に設置される斜面緑化用客土保持具１の山側金網１１の上端と谷側金網１２の先端とがほぼ水平に統一されるので、全体に均整がとれ、景観上も良好となる。
【００３７】
図１２は、斜面Ｓに実施の形態１の斜面緑化用客土保持具１を設置した後、緑化用客土（植生基材）を吹き付ける状態を示す図である。
【００３８】
図１２に示すように、斜面Ｓに実施の形態１の斜面緑化用客土保持具１を設置した後、植生基材圧送用ホース６等を作業者が保持して、各種緑化用植物の種や肥料などが混入された緑化用客土（植生基材）５１，５２を、実施の形態１の斜面緑化用客土保持具１により構成した植栽棚１０の内部や、植栽棚１０と縦枠２間の斜面Ｓに吹き付ける。その際、例えば、植栽棚１０内に吹き付ける緑化用客土（植生基材）５１には、背が高くなる大き目の樹木の種や苗等が含まれるようにすると、植栽棚１０を介し斜面Ｓに根を張り成長するので、都合が良い。また、植栽棚１０以外の斜面Ｓに吹き付ける緑化用客土（植生基材）５２には、背の低い草木類の種や苗等で良い。なお、植栽棚１０の谷側金網１２側の面の緑化を図るために、不織布や緑化シートをその面に設けてもよい。また、客土の水分保持を目的として、保水材を客土中に混入するようにしても良い。
【００３９】
≪断面矩形縦枠タイプの緑化用法枠構造物≫
次に、実施形態１の斜面緑化用客土保持具１を、断面矩形縦枠タイプの緑化用法枠構造物に適用した場合について説明する。
【００４０】
図１３は、斜面緑化用客土保持具１等を使用して施工現場の斜面に設置した断面矩形縦枠タイプの緑化用法枠構造物の状態を示す正面図、図１４（ａ），（ｂ）は、それぞれ、同緑化用法枠構造物のＥ−Ｅ線断面図、Ｆ−Ｆ線断面図である。
【００４１】
図１３，図１４から明らかなように、断面矩形縦枠タイプの緑化用法枠構造物は、モルタル等のセメント系固化材を吹き付けて構成される縦枠２’を、断面矩形形状に形成したもので、縦枠２’の形成に型枠を使用するタイプであり、それ以外の構成は、図１〜図１２にて示した断面欠円形状縦枠タイプの緑化用法枠構造物と同様である。
【００４２】
つまり、図１４（ｂ）に示すように、断面矩形縦枠タイプの緑化用法枠構造物の縦枠２’は、井桁状のセパレータ２２’とその両側に設けられたクリンプ金網２３’等からなる金網型枠２４’に対して４本の縦枠鉄筋２１’をセパレータ２２’の交差部に固定し、、これに向けてモルタル等のセメント系固化材を吹き付けて構成される。
【００４３】
従って、本実施の形態１の斜面緑化用客土保持具１によれば、保管時や運搬時には山側金網１１と谷側金網１２とを折り畳んでおく一方、施工時には山側金網１１を斜面に沿って設ける一方、谷側金網１２を山側金網１１上端と谷側穴網１２先端とが水平に近づくように、角度調整支持金具１３によって任意の起立角度に設定して支持し、その起立角度に設定された山側金網１１と谷側金網１２との間に斜面緑化用客土５１を保持させるようにしたため、例えば、次のような効果が得られる。
（１）山側金網１１と谷側穴網１２とを折り畳んで保管や運搬することが可能となるので、保管の際のスペース効率や、運搬の際の作業効率等を向上させることができる。
（２）山側金網１１の上端と谷側穴網１２の先端とが水平に近づくように起立角度を設定可能なので、斜面緑化用客土保持具１により形成した植栽棚１０に盛った斜面緑化用客土５１や、斜面緑化用客土５１から生えた草木類の流出を防止することができ、斜面緑化用客土５１の損失を少なく植栽を生育することができる。
（３）また、斜面Ｓ全体に設置される斜面緑化用客土保持具１の山側金網１１の上端と谷側穴網１２の先端とがほぼ水平に統一されるので、図１等に示すように広い緑化用法枠構造物の施工現場全体に均整がとれ、景観上も良好となる。
【００４４】
また、本実施の形態１の斜面緑化用客土保持具１では、斜面Ｓの傾斜方向とは垂直方向となる山側金網１１の長手方向の長さを、谷側金網１２の長手方向の長さより長く形成して、山側金網１１の長手方向の両端が、谷側金網１２の長手方向の両端より突出する両端突出部１１ａ，１１ｂを形成したので、山側金網１１の両端突出部１１ａ，１１ｂをそれぞれ左右の縦枠２に連結して固定することができ、斜面緑化用客土保持具１を確実に位置決めや固定することができ、作業性が向上することができると共に、谷側金網１２の両端が縦枠２や縦枠２を構成する縦枠鉄筋２１，２１’や、スペーサー２２または金網型枠２４’等に干渉し難くなるので、容易に谷側金網１２を引き起こすことが可能となり、この点でも作業性が向上する。なお、このような構成を採用するか否かは任意である。
【００４５】
また、本実施の形態１の斜面緑化用客土保持具１では、谷側金網１２は、斜面Ｓの傾斜方向に延びる複数本の縦線１２２と、斜面Ｓの傾斜方向とは垂直方向に延びる複数本の横線１２１とを交差させたクリンプ金網等から構成し、複数の被掛止部１２１ａ〜１２１ｃは、複数本の横線１２１を、斜面Ｓの傾斜方向に沿って所定間隔を空けて設けることにより構成し、複数の被掛止部１２１ａ〜１２１ｃの間隔は、その被掛止部１２１ａ〜１２１ｃ以外の横線１２１間の間隔より大きくしたので、支持金具１３先端のフック部１３２を挿入して、被掛止部１２１ａ〜１２１ｃに簡単に引っ掛けることができ、この点でも作業性を向上させることができる。なお、このような構成を採用するか否かは任意である。
【００４６】
実施の形態２．
次に、実施の形態２の斜面緑化用客土保持具１’について説明する。
【００４７】
図１５は、実施の形態２の斜面緑化用客土保持具１’を構成する山側金網１１’と谷側金網１２’とを連結して広げた状態を示す全体図である。
【００４８】
図６に示す実施の形態１の斜面緑化用客土保持具１を構成する山側金網１１と谷側金網１２と比較すると明らかであるが、実施の形態１の斜面緑化用客土保持具１では、谷側金網１２の先端側に、斜面Ｓの傾斜方向に沿って所定間隔を空けて設けられた複数の被掛止部１２１ａ〜１２１ｃを設け、角度調整支持金具１３のリング部１３１を山側金網１１の上端に回動可能に連結する一方、角度調整支持金具１３先端のフック部１３２を谷側金網１２の複数の被掛止部１２１ａ〜１２１ｃのうちの一に引っ掛けるように構成した。
【００４９】
これに対し、実施の形態２の斜面緑化用客土保持具１’では、山側金網１１’の上端側に、斜面Ｓの傾斜方向に沿って所定間隔を空けて設けられた複数の被掛止部１１１ａ’〜１１１ｃ ’を設け、角度調整支持金具１３のリング部１３１を谷側金網１２’の先端部に回動可能に連結する一方、角度調整支持金具１３先端のフック部１３２を山側金網１１’の複数の被掛止部１１１ａ’〜１１１ｃ ’のうちの一に引っ掛けるように構成した点が異なるだけである。
【００５０】
このように、実施の形態２の斜面緑化用客土保持具１’を構成しても、前述の実施の形態１の斜面緑化用客土保持具１と同様に、保管時や運搬時は山側金網１１’と谷側金網１２’とを折り畳み重ねることが可能となり、保管の際のスペース効率や、運搬の際の作業効率等を向上させることができると共に、斜面Ｓの傾斜に応じて、斜面Ｓの勾配αが変化しても、角度調整支持金具１３先端のフック部１３２が引っ掛ける山側金網１１’の複数の被掛止部１１１ａ’〜１１１ｃ ’を変えることにより、山側金網１１’の上端と谷側金網１２’の先端とがほぼ水平に設定する保持することができるので、前述の実施の形態１の斜面緑化用客土保持具１と同様の効果が得られる。
【００５１】
なお、前記実施の形態１，２では、本発明の谷側多孔面状部材や、山側多孔面状部材、角度調整支持部材等を、金属製の山側金網１１や、谷側金網１２、角度調整支持金具１３等により構成して説明したが、本発明では、これに限定されるものではなく、金属製以外のプラスチック製等の他の部材によりこれらの部材を構成するようにしても勿論よい。
【００５２】
また、本発明に係る斜面緑化用客土保持具は、斜面Ｓに対し吹き付けられる斜面緑化用客土の滑落を防止するものであれば、各種基材が混入されていても勿論よい。また、本発明係る斜面緑化用客土保持具の適用形態は、地山などの自然のままの斜面Ｓでも、造成された斜面Ｓでも、予めコンクリートやモルタルなどによって被覆された斜面Ｓでも、それらの表面に斜面緑化用客土を吹き付けて緑化を図る場合には適用することが可能である。
【符号の説明】
【００５３】
１，１’  斜面緑化用客土保持具
１０  植栽棚
１１，１１’  山側金網（山側多孔面状部材）
１１ａ，１１ｂ  両端突出部
１１１，１１１’  横線
１１１ａ’〜１１１’ｃ  被掛止部
１１２，１１２’  縦線
１２，１２’  谷側金網（谷側多孔面状部材）
１２１，１２１’  横線
１２１ａ〜１２１ｃ  被掛止部
１２２，１２２’  縦線
１３  角度調整支持金具（角度調整支持部材）
１４  植栽棚止めアンカー
１５  連結リング
２，２’  縦枠
２１，２１’  縦枠鉄筋
２２  スペーサー（縦枠形成用補助部材）
２２’  セパレータ（縦枠形成用補助部材）
２３’  クリンプ金網（縦枠形成用補助部材）
２４’  金網型枠（縦枠形成用補助部材）
３  横枠
３１，３１’  横枠鉄筋
３２  主アンカー
４  菱形金網（ラス金網）
５１，５２  斜面緑化用客土
【図１】
0005548098.tif 000002
【図２】
0005548098.tif 000003
【図３】
0005548098.tif 000004
【図４】
0005548098.tif 000005
【図５】
0005548098.tif 000006
【図６】
0005548098.tif 000007
【図７】
0005548098.tif 000008
【図８】
0005548098.tif 000009
【図９】
0005548098.tif 000010
【図１０】
0005548098.tif 000011
【図１１】
0005548098.tif 000012
【図１２】
0005548098.tif 000013
【図１３】
0005548098.tif 000014
【図１４】
0005548098.tif 000015
【図１５】
0005548098.tif 000016